(57)【特許請求の範囲】
【請求項１】
相手側コネクタと接続される接続端の反対側が電線の引出端とされたコネクタに対して、前記引出端から引き出された前記電線を保護するカバーを前記引出端に押し付けて装着する際に用いるカバー装着用治具であって、
前記コネクタの前記接続端を嵌合させることで前記コネクタを支持するコネクタ固定穴を有するコネクタ支持台と、
前記カバーの両側面を覆って前記カバーを保持するカバー把持具と、
を備え、
前記コネクタ支持台は、前記コネクタ固定穴に嵌合された前記コネクタに沿う位置決め面を有し、
前記カバー把持具は、前記位置決め面に当接することで前記コネクタ固定穴に嵌合された前記コネクタに対して保持した前記カバーが位置決めされる位置決め部を有する
ことを特徴とするカバー装着用治具。
【請求項２】
前記カバーは、天板部と、該天板部の両側縁から同一方向へ延びる側板部とを有し、
前記カバー把持具は、前記天板部の外側を覆う上面板と、該上面板から延びて前記カバーの前記側板部の外側を覆う一対の側面板とを有し、
前記上面板の内面に、前記カバーの前記天板部が嵌合されて位置決めされる位置決め凹部が形成されている
ことを特徴とする請求項１に記載のカバー装着用治具。
【請求項３】
前記カバー把持具は、前記側面板が前記上面板に対してそれぞれ回動可能とされ、前記側面板を前記カバーの前記側板部に当接させることで前記カバーを保持可能とされている
ことを特徴とする請求項２に記載のカバー装着用治具。
【請求項４】
前記側面板は、前記カバーの前記側板部の端部を係止する係止部を有する
ことを特徴とする請求項３に記載のカバー装着用治具。
【請求項５】
前記カバー把持具は、前記上面板の内面側に、前記カバーの前記天板部を吸着する吸盤部を有する吸着部材が設けられている
ことを特徴とする請求項２に記載のカバー装着用治具。
【請求項６】
ワイヤハーネスに設けられた複数のコネクタに対してカバーを装着するカバー装着方法であって、
前記コネクタをそれぞれ支持する複数のコネクタ支持台及び前記カバーをそれぞれ保持する複数のカバー把持具を、前記ワイヤハーネスの前記コネクタの配置に対応した位置に配置しておき、
前記コネクタを、それぞれ対応した前記コネクタ支持台に支持させ、
前記コネクタに対応した前記カバー把持具で前記カバーを把持して前記コネクタに装着させる
ことを特徴とするカバー装着方法。 
【発明の詳細な説明】
【技術分野】
【０００１】
本発明は、電線保護用のカバーをコネクタに装着する際に用いられるカバー装着用治具及びカバー装着方法に関する。
【背景技術】
【０００２】
車両用のワイヤハーネスのコネクタには、引き出された電線を保護するとともに電線を一方向へ配向させるためにカバーが装着されるものが知られている（例えば、特許文献１参照）。
【先行技術文献】
【特許文献】
【０００３】
【特許文献１】特開２０１５−８８２５６号公報
【発明の概要】
【発明が解決しようとする課題】
【０００４】
作業者は、一方の手で把持したコネクタに対して他方の手で把持したカバーを押し付けることでコネクタにカバーを装着している。
【０００５】
ところで、コネクタにカバーを装着する際に、装着方向に対してカバーが傾いていたり、コネクタに対してカバーが位置ずれしていると、コネクタへのカバーの装着が円滑に行われないことがある。このため、作業者は、カバーの傾きや位置ずれを抑えながらコネクタへカバーを装着しなければならず、負担を強いられていた。特に、複数のコネクタにカバーを装着する場合、作業者の手を痛めてしまうおそれがあった。
【０００６】
本発明は、上述した事情に鑑みてなされたものであり、その目的は、コネクタへのカバーの装着作業性を大幅に向上させて作業者への負担を軽減させることが可能なカバー装着用治具及びカバー装着方法を提供することにある。
【課題を解決するための手段】
【０００７】
前述した目的を達成するために、本発明に係るカバー装着用治具は、下記（１）〜（５）を特徴としている。
（１）  相手側コネクタと接続される接続端の反対側が電線の引出端とされたコネクタに対して、前記引出端から引き出された前記電線を保護するカバーを前記引出端に押し付けて装着する際に用いるカバー装着用治具であって、
前記コネクタの前記接続端を嵌合させることで前記コネクタを支持するコネクタ固定穴を有するコネクタ支持台と、
前記カバーの両側面を覆って前記カバーを保持するカバー把持具と、
を備え、
前記コネクタ支持台は、前記コネクタ固定穴に嵌合された前記コネクタに沿う位置決め面を有し、
前記カバー把持具は、前記位置決め面に当接することで前記コネクタ固定穴に嵌合された前記コネクタに対して保持した前記カバーが位置決めされる位置決め部を有する
ことを特徴とするカバー装着用治具。
（２）  前記カバーは、天板部と、該天板部の両側縁から同一方向へ延びる側板部とを有し、
前記カバー把持具は、前記天板部の外側を覆う上面板と、該上面板から延びて前記カバーの前記側板部の外側を覆う一対の側面板とを有し、
前記上面板の内面に、前記カバーの前記天板部が嵌合されて位置決めされる位置決め凹部が形成されている
ことを特徴とする（１）に記載のカバー装着用治具。
（３）  前記カバー把持具は、前記側面板が前記上面板に対してそれぞれ回動可能とされ、前記側面板を前記カバーの前記側板部に当接させることで前記カバーを保持可能とされている
ことを特徴とする（２）に記載のカバー装着用治具。
（４）  前記側面板は、前記カバーの前記側板部の端部を係止する係止部を有する
ことを特徴とする（３）に記載のカバー装着用治具。
（５）  前記カバー把持具は、前記上面板の内面側に、前記カバーの前記天板部を吸着する吸盤部を有する吸着部材が設けられている
ことを特徴とする（２）に記載のカバー装着用治具。
【０００８】
上記（１）の構成のカバー装着治具では、カバーを保持したカバー把持具を把持し、このカバー把持具をコネクタ支持台に支持されたコネクタの引出端に近接させることで、カバーをコネクタの引出端に押し付けて装着させることができる。
このとき、カバー把持具の位置決め部をコネクタ支持台の位置決め面に当接させながら近接させることで、コネクタの引出端に対してカバーを、傾きや位置ずれを抑制しつつ押し付けて円滑に装着させることができる。これにより、コネクタへのカバーの装着作業性を大幅に向上させることが可能となり、カバーを装着させる作業者の負担を軽減させることができる。
上記（２）の構成のカバー装着治具では、カバー把持具の位置決め凹部にカバーの天板部を嵌合させることで、カバー把持具に対してカバーを容易に位置決めさせることができる。
上記（３）の構成のカバー装着治具では、両方の側面板の外側からつまむようにカバー把持具を把持することで、側面板がカバーの側板部に当接される。これにより、カバーをカバー把持具に容易に保持させることができる。
上記（４）の構成のカバー装着治具では、カバーの側板部に当接させた側面板の係止部がカバーの端部を係止する。これにより、カバー把持具に保持させたカバーの脱落を抑制することができる。
上記（５）の構成のカバー装着治具では、カバーの天板部を吸盤部に吸着させることで、カバーをカバー把持具に容易に保持させることができ、コネクタへのカバーの装着作業性をさらに高めることができる。
【０００９】
また、上述した目的を達成するために、本発明に係るカバー装着方法は、下記（６）を特徴としている。
（６）  ワイヤハーネスに設けられた複数のコネクタに対してカバーを装着するカバー装着方法であって、
前記コネクタをそれぞれ支持する複数のコネクタ支持台及び前記カバーをそれぞれ保持する複数のカバー把持具を、前記ワイヤハーネスの前記コネクタの配置に対応した位置に配置しておき、
前記コネクタを、それぞれ対応した前記コネクタ支持台に支持させ、
前記コネクタに対応した前記カバー把持具で前記カバーを把持して前記コネクタに装着させる
ことを特徴とするカバー装着方法。
【００１０】
上記（６）の構成のカバー装着方法では、複数のコネクタを、対応するコネクタ支持台に支持させ、これらのコネクタ支持台に支持させたコネクタに対して、対応するカバー把持具に保持させたカバーを円滑に装着させることができる。これにより、ワイヤハーネスに設けられた複数のコネクタに対するカバーの装着作業性を大幅に高めることができ、作業者への負担を大幅に軽減させることができる。
【発明の効果】
【００１１】
本発明によれば、コネクタへのカバーの装着作業性を大幅に向上させて作業者への負担を軽減させることが可能なカバー装着用治具及びカバー装着方法を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態に係るカバー装着用治具が適用されるコネクタユニットの構造を示す分解斜視図である。
【図２】図２は、カバーが装着されたコネクタの斜視図である。
【図３】図３は、カバー装着時の不具合を説明する図であって、図３（ａ）はコネクタユニットの斜視図、図３（ｂ）はコネクタユニットの側面図である。
【図４】図４は、カバー装着治具及びコネクタユニットの分解斜視図である。
【図５】図５は、コネクタ支持台の平面図である。
【図６】図６は、コネクタが支持されたコネクタ支持台の斜視図である。
【図７】図７は、カバー把持具を説明する図であって、図７（ａ）はカバー把持具の斜視図、図７（ｂ）はカバー把持具の側面図である。
【図８】図８は、カバー把持具の側面板を開いた状態の内面側から視た斜視図である。
【図９】図９は、カバー把持具にコネクタを保持させる際の側面板を開いた状態のカバー把持具の内面側から視た斜視図である。
【図１０】図１０は、コネクタを保持させたカバー把持具の側面図である。
【図１１】図１１は、コネクタ支持台に支持されたコネクタにカバー把持具でカバーを装着させるカバー装着作業を説明するカバー装着用治具の斜視図である。
【図１２】図１２は、コネクタ支持台に支持されたコネクタにカバー把持具でカバーを装着させるカバー装着作業を説明するカバー装着用治具及びコネクタの断面図である。
【図１３】図１３は、カバーが装着されたコネクタの状態を示すコネクタ支持台の一部を断面視した斜視図である。
【図１４】図１４は、ワイヤハーネスに一直線上に配置されて設けられた複数のコネクタへのカバーの装着作業を説明する構成図である。
【図１５】図１５は、ワイヤハーネスに不規則に配置されて設けられた複数のコネクタへのカバーの装着作業を説明する構成図である。
【図１６】図１６は、変形例に係るカバー把持具の斜視図ある。
【図１７】図１７は、変形例に係るカバー把持具の分解斜視図ある。
【図１８】図１８は、変形例に係るカバー把持具を説明する図であって、図１８（ａ）は側面図、図１８（ｂ）は、図１８（ａ）におけるＩ−Ｉ断面図である。
【図１９】図１９は、カバー把持具の把持具本体を説明する図であって、図１９（ａ）は上面図、図１９（ｂ）は側面図、図１９（ｃ）は裏面図である。
【図２０】図２０は、カバー把持具の吸着部材を説明する図であって、図２０（ａ）は側面図、図２０（ｂ）は上方から視た斜視図、図２０（ｃ）は下方から視た斜視図である。
【図２１】図２１は、コネクタを保持させたカバー把持具の幅方向に沿う断面図である。
【図２２】図２２は、コネクタ支持台に支持されたコネクタに変形例に係るカバー把持具でカバーを装着させるカバー装着作業を説明するカバー装着用治具の斜視図である。
【図２３】図２３は、コネクタ支持台に支持されたコネクタに変形例に係るカバー把持具でカバーを装着させるカバー装着作業を説明するカバー装着用治具及びコネクタの断面図である。
【図２４】図２４は、コネクタが接続された機器側コネクタを備えるソレノイドの斜視図である。
【図２５】図２５は、機器側コネクタに接続されたコネクタの断面図である。
【図２６】図２６は、機器側コネクタからコネクタを取り外す際に用いられる係合解除治具の斜視図である。
【図２７】図２７は、係合解除治具を用いた機器側コネクタからのコネクタの取り外し作業を説明する係合解除治具の斜視図である。
【図２８】図２８は、係合解除治具を用いた機器側コネクタからのコネクタの取り外し作業を説明する図であって、図２８（ａ）から図２８（ｃ）は、それぞれ機器側コネクタに接続されたコネクタの断面図である。
【図２９】図２９は、棒状の工具を用いた機器側コネクタからのコネクタの取り外し作業を説明する機器側コネクタに接続されたコネクタの断面図である。
【発明を実施するための形態】
【００１４】
以下、本発明に係る実施の形態の例を、図面を参照して説明する。
【００１５】
図１は、本実施形態に係るカバー装着用治具が適用されるコネクタユニットの構造を示す分解斜視図である。図２は、カバーが装着されたコネクタの斜視図である。図３は、カバー装着時の不具合を説明する図であって、図３（ａ）はコネクタユニットの斜視図、図３（ｂ）はコネクタユニットの側面図である。
【００１６】
まず、コネクタ及びコネクタに装着されるカバーについて説明する。
図１に示すように、カバー１０は、雌型のコネクタ２０に装着され、このコネクタ２０とカバー１０とにより、コネクタユニット３０が構成される。カバー１０は、コネクタ２０のハウジング２１における電線２２が引き出される後端からなる引出端２３に装着される。
【００１７】
コネクタ２０は、樹脂製のハウジング２１を有している。ハウジング２１には、端子収容部２５が形成されており、このハウジング２１の端子収容部２５には、電線２２に圧着されて接続された端子２６が引出端２３側から挿し込まれて収容される。カバー１０は、コネクタ２０のハウジング２１の引出端２３から引き出される電線２２を一方向へ導くとともに、ハウジング２１付近において電線２２を覆って保護する。
【００１８】
コネクタ２０は、雄型のコネクタである機器側コネクタ４０に接続される。コネクタ２０は、その先端が、機器側コネクタ４０に接続される接続端２９とされている。
【００１９】
コネクタ２０と機器側コネクタ４０とは、コネクタ２０のハウジング２１に設けられた上面突起２７と機器側コネクタ４０に設けられた係止部４１とが係合することにより結合され、コネクタ２０の端子２６が機器側コネクタ４０の端子に電気的に接続される。
【００２０】
コネクタ２０のハウジング２１には、その後端における各角部に、それぞれ係止突起２８が形成されている。
【００２１】
カバー１０は、樹脂から成形されたもので、天板部１１と、天板部１１の両側縁からコネクタ２０への装着方向へ延在する一対の側板部１２とを有している。それぞれの側板部１２には、その先端における両側部に、係止孔１３が形成されている。
【００２２】
図２に示すように、コネクタ２０のハウジング２１にカバー１０を装着するには、コネクタ２０に対してその引出端２３側から、カバー１０を押し付け、カバー１０の係止孔１３にハウジング２１の係止突起２８を嵌合させる。このようにすると、各係止突起２８と係止孔１３との係止力によってコネクタ２０のハウジング２１にカバー１０が装着されることとなる。
【００２３】
ところで、図３（ａ）（ｂ）に示すように、コネクタ２０のハウジング２１にカバー１０を装着する際に、カバー１０が装着方向に対して傾いていたり、コネクタ２０のハウジング２１に対してカバー１０が位置ずれしていると、係止突起２８と係止孔１３とが嵌合せず、ハウジング２１にカバー１０が装着されないことがある。このため、作業者は、一方の手で把持したコネクタ２０に対して他方の手で把持したカバー１０を、傾きや位置ずれを抑えるように留意しながら押し付けて装着させなければならず、大きな負担を強いられていた。
【００２４】
このため、本実施形態では、カバー装着用治具５０を用いてコネクタ２０のハウジング２１に対してカバー１０を装着する。
【００２５】
図４は、カバー装着治具及びコネクタユニットの分解斜視図である。図５は、コネクタ支持台の平面図である。図６は、コネクタが支持されたコネクタ支持台の斜視図である。図７は、カバー把持具を説明する図であって、図７（ａ）はカバー把持具の斜視図、図７（ｂ）はカバー把持具の側面図である。図８は、カバー把持具の側面板を開いた状態の内面側から視た斜視図である。
【００２６】
図４に示すように、本実施形態に係るカバー装着用治具５０は、コネクタ２０を支持するコネクタ支持台５１と、カバー１０を把持するカバー把持具６１とを備えている。
【００２７】
図５及び図６に示すように、コネクタ支持台５１は、その上面５１ａにおける中央に、コネクタ固定穴５２を有している。コネクタ支持台５１には、その上面５１ａにおける両側に、側壁５３，５４が形成されている。これらの側壁５３，５４には、それぞれ幅方向の中央に、電線収容溝５５が形成されている。コネクタ固定穴５２は、一方の側壁５３側へ偏って近接した位置に形成されており、側壁５３におけるコネクタ固定穴５２の近接側の面は、位置決め面５３ａとされている。
【００２８】
コネクタ支持台５１には、コネクタ固定穴５２にコネクタ２０の電線２２が引き出された引出端２３と反対側の接続端２９が嵌合される。これにより、コネクタ２０は、コネクタ固定穴５２における上面５１ａに引出端２３側を上方へ向けた状態で支持される。そして、このコネクタ固定穴５２にコネクタ２０を嵌合させた状態で、このコネクタ支持台５１に支持されたコネクタ２０及び他のコネクタ２０から引き出された電線２２が電線収容溝５５に通される。
【００２９】
図７（ａ）（ｂ）に示すように、カバー把持具６１は、上面板６２と、この上面板６２の両側縁から一方側へ延びる側面板６３とを有している。上面板６２と側面板６３とは、ヒンジ部６４で連結されている。各側面板６３は、ヒンジ部６４を中心として、回動可能とされている。これにより、図８に示すように、カバー把持具６１は、それぞれヒンジ部６４を中心として側面板６３を互いに離間する方向へ回動させることで、側面板６３同士が開いた状態とされる。
【００３０】
上面板６２には、側面板６３の延在方向の面である内面に、位置決め凹部６５が形成されている。この位置決め凹部６５には、カバー１０の天板部１１が嵌合可能とされており、この位置決め凹部６５にカバー１０の天板部１１を嵌合させることで、カバー１０がカバー把持具６１に位置決めされる。この位置決め凹部６５は、上面板６２における一方の縁部側へ偏って近接した位置に形成されており、上面板６２及び側面板６３における位置決め凹部６５の近接側の縁部は、位置決め部６２ａ，６３ａとされている。
【００３１】
側面板６３の先端における内面側には、内方へ突出する係止部６７が形成されている。この係止部６７は、上面板６２の位置決め凹部６５に天板部１１を嵌合させたカバー１０の側板部１２の先端部を係止する。また、側面板６３の先端における外面側には、外方へ突出する滑り止め部６８が形成されている。この滑り止め部６８は、カバー把持具６１の両方の側面板６３を作業者が指で挟んで把持した際の滑り止めとなる突起である。
【００３２】
次に、上記のカバー装着用治具５０を用いてコネクタ２０にカバー１０を装着する場合について説明する。
【００３３】
図９は、カバー把持具にコネクタを保持させる際の側面板を開いた状態のカバー把持具の内面側から視た斜視図である。図１０は、コネクタを保持させたカバー把持具の側面図である。図１１は、コネクタ支持台に支持されたコネクタにカバー把持具でカバーを装着させるカバー装着作業を説明するカバー装着用治具の斜視図である。図１２は、コネクタ支持台に支持されたコネクタにカバー把持具でカバーを装着させるカバー装着作業を説明するカバー装着用治具及びコネクタの断面図である。図１３は、カバーが装着されたコネクタの状態を示すコネクタ支持台の一部を断面視した斜視図である。
【００３４】
（コネクタ支持作業）
まず、カバー装着用治具５０を構成するコネクタ支持台５１のコネクタ固定穴５２にコネクタ２０の先端である接続端２９を嵌合させ、コネクタ２０をコネクタ支持台５１の上面５１ａに支持させる。また、この支持させたコネクタ２０及び他のコネクタ２０の引出端２３から引き出された電線２２を側壁５３，５４の電線収容溝５５に通して保持させる（図６参照）。
【００３５】
（カバー把持作業）
カバー装着用治具５０を構成するカバー把持具６１の側面板６３を互いに離間する方向へ回動させて開く（図８参照）。
【００３６】
次に、図９に示すように、カバー把持具６１の上面板６２の位置決め凹部６５に、側板部１２側を側面板６３側に配置させてカバー１０の天板部１１を嵌合させ、カバー把持具６１に対してカバー１０を位置決めさせる。
【００３７】
その後、図１０に示すように、開いていた側面板６３を互いに近接する方向へ回動させて閉じる。このようにすると、各側面板６３によってカバー１０が挟持されるとともに、カバー１０の側板部１２の下端が側面板６３の係止部６７で係止される。これにより、カバー１０がカバー把持具６１に脱落することなく保持された状態となる。
【００３８】
（カバー装着作業）
カバー１０を保持したカバー把持具６１の側面板６３をつまむように把持し、図１１及び図１２に示すように、コネクタ支持台５１に支持されているコネクタ２０に対して、その上方側から近接させる。このとき、カバー把持具６１の位置決め部６２ａ，６３ａをコネクタ支持台５１の位置決め面５３ａに当接させる。このようにすると、コネクタ支持台５１に支持させたコネクタ２０に対してカバー把持具６１に保持させたカバー１０が位置決めされる。
【００３９】
この状態で、カバー把持具６１をコネクタ２０側へ押し込む。すると、カバー把持具６１に保持されているカバー１０の係止孔１３にコネクタ２０のハウジング２１の係止突起２８が嵌合し、これらの係止突起２８と係止孔１３との係止力によってコネクタ２０のハウジング２１にカバー１０が装着される。このとき、カバー把持具６１の側面板６３に形成された滑り止め部６８に作業者の指が引っかかるため、作業者はカバー把持具６１を安定して把持してコネクタ２０側へ押し込むことができる。
【００４０】
カバー１０をコネクタ２０に装着させたら、図１３に示すように、カバー把持具６１をカバー１０から外す。その後、カバー１０が装着されたコネクタ２０を、コネクタ支持台５１から取り外す。
【００４１】
以上、説明したように、本実施形態に係るカバー装着用治具５０を用いれば、カバー１０を保持したカバー把持具６１を把持し、このカバー把持具６１をコネクタ支持台５１に支持されたコネクタ２０の引出端２３に近接させることで、作業者は、カバー１０をコネクタ２０の引出端２３に押し付けて円滑に装着させることができる。
【００４２】
このとき、カバー把持具６１の位置決め部６２ａ，６３ａをコネクタ支持台５１の位置決め面５３ａに当接させながら近接させることで、コネクタ２０の引出端２３に対してカバー１０を、傾きや位置ずれを抑制しつつ押し付けて円滑に装着させることができる。これにより、コネクタ２０へのカバー１０の装着作業性を大幅に向上させることが可能となり、カバー１０を装着させる作業者の負担を軽減させることができる。
【００４３】
しかも、カバー把持具６１の位置決め凹部６５にカバー１０の天板部１１を嵌合させることで、カバー把持具６１に対してカバー１０を容易に位置決めさせることができる。
【００４４】
また、カバー把持具６１では、両方の側面板６３の外側からつまむようにカバー把持具６１を把持することで、側面板６３がカバー１０の側板部１２に当接される。これにより、カバー１０をカバー把持具６１に容易に保持させることができる。
【００４５】
また、カバー１０の側板部１２に側面板６３を当接させると、側面板６３の係止部６７がカバー１０の端部を係止する。これにより、カバー把持具６１に保持させたカバー１０の脱落を抑制することができる。
【００４６】
次に、カバー装着用治具５０を用いて複数のコネクタ２０を有するワイヤハーネスＷのそれぞれのコネクタ２０にカバー１０を装着するカバー装着方法について説明する。
【００４７】
図１４は、ワイヤハーネスに一直線上に配置されて設けられた複数のコネクタへのカバーの装着作業を説明する構成図である。図１５は、ワイヤハーネスに不規則に配置されて設けられた複数のコネクタへのカバーの装着作業を説明する構成図である。
【００４８】
図１４に示すように、ワイヤハーネスＷには、複数のコネクタ２０が一直線状に配置されている。このようなワイヤハーネスＷの各コネクタ２０にカバー１０を装着する場合、コネクタ２０の配置に対応した所定位置にコネクタ支持台５１及びカバー把持具６１をそれぞれ配置させておく。そして、各コネクタ支持台５１にワイヤハーネスＷの各コネクタ２０を支持させ、各カバー把持具６１によってカバー１０を把持してコネクタ２０へ組み付ける。
【００４９】
このように、上記のカバー装着方法によれば、複数のコネクタ２０を、対応するコネクタ支持台５１に支持させ、これらのコネクタ支持台５１に支持させたコネクタ２０に対して、対応するカバー把持具６１に保持させたカバー１０を円滑に装着させることができる。これにより、ワイヤハーネスＷに設けられた複数のコネクタ２０に対するカバー１０の装着作業性を大幅に高めることができ、作業者への負担を大幅に軽減させることができる。
【００５０】
なお、ワイヤハーネスＷに設けられた複数のコネクタ２０は一直線上に配置されず、図１５に示すように、一直線上に配置されていない場合もある。この場合も、ワイヤハーネスＷの各コネクタ２０にカバー１０を装着するには、コネクタ２０の配置に対応した所定位置にコネクタ支持台５１及びカバー把持具６１をそれぞれ配置させる。そして、各コネクタ支持台５１にワイヤハーネスＷの各コネクタ２０を支持させ、各カバー把持具６１によってカバー１０を把持してコネクタ２０へ組み付ける。このようにすると、複数のコネクタ２０を有するワイヤハーネスＷの各コネクタ２０に対して極めて円滑にカバー１０を装着することができる。
【００５１】
次に、変形例に係るカバー把持具７１について説明する。
図１６は、変形例に係るカバー把持具の斜視図ある。図１７は、変形例に係るカバー把持具の分解斜視図ある。図１８は、変形例に係るカバー把持具を説明する図であって、図１８（ａ）は側面図、図１８（ｂ）は、図１８（ａ）におけるＩ−Ｉ断面図である。図１９は、カバー把持具の把持具本体を説明する図であって、図１９（ａ）は上面図、図１９（ｂ）は側面図、図１９（ｃ）は裏面図である。図２０は、カバー把持具の吸着部材を説明する図であって、図２０（ａ）は側面図、図２０（ｂ）は上方から視た斜視図、図２０（ｃ）は下方から視た斜視図である。図２１は、コネクタを保持させたカバー把持具の幅方向に沿う断面図である。図２２は、コネクタ支持台に支持されたコネクタに変形例に係るカバー把持具でカバーを装着させるカバー装着作業を説明するカバー装着用治具の斜視図である。図２３は、コネクタ支持台に支持されたコネクタに変形例に係るカバー把持具でカバーを装着させるカバー装着作業を説明するカバー装着用治具及びコネクタの断面図である。
【００５２】
図１６、図１７及び図１８（ａ）（ｂ）に示すように、変形例に係るカバー把持具７１は、把持具本体７０と、吸着部材８０とを備えている。
【００５３】
把持具本体７０は、硬質の樹脂から成形されたもので、上面板７２と、この上面板７２の両側縁から一方側へ延びる側面板７３とを有している。上面板７２には、固定孔７４が形成されている。
【００５４】
図１９（ａ）〜（ｃ）に示すように、上面板７２には、側面板７３の延在方向の面である内面に、位置決め凹部７５が形成されている。この位置決め凹部７５には、カバー１０の天板部１１が嵌合可能とされており、この位置決め凹部７５にカバー１０の天板部１１を嵌合させることで、カバー１０がカバー把持具７１に位置決めされる。位置決め凹部７５には、その内壁面のそれぞれに窓部７５ａが形成されている。位置決め凹部７５は、上面板７２における一方の縁部側へ偏って近接した位置に形成されており、上面板７２及び側面板７３における位置決め凹部７５の近接側の縁部は、位置決め部７２ａ，７３ａとされている。
【００５５】
側面板７３の先端における外面側には、外方へ突出する滑り止め部７８が形成されている。この滑り止め部７８は、カバー把持具７１の両方の側面板７３を作業者が指で挟んで把持した際の滑り止めとなる突起である。
【００５６】
図２０（ａ）〜（ｃ）に示すように、吸着部材８０は、板状部８２と、固定部８３と、吸盤部８４とを有している。この吸着部材８０は、例えば、ゴム等の軟質の樹脂から成形されている。板状部８２は、平面視矩形状に形成されており、各辺には、それぞれ凸部８２ａが形成されている。固定部８３は、板状部８２の上面における中心位置に突設されている。この固定部８３は、その先端に、先細り形状の楔部８３ａが形成されている。吸盤部８４は、板状部８２の下面に形成されている。吸盤部８４は、円筒状に形成されており、板状部８２の下面から下方へ突出されている。
【００５７】
この吸着部材８０は、把持具本体７０の上面板７２の位置決め凹部７５内に、固定部８３を向けて嵌め込むことで把持具本体７０に組み付けられている。そして、この吸着部材８０は、楔部８３ａが把持具本体７０の上面板７２の固定孔７４に挿し込まれることで中央部分が上面板７２に固定され、板状部８２の凸部８２ａが窓部７５ａに係合することで外周部分が上面板７２に固定される。
【００５８】
この変形例に係るカバー把持具７１では、図２１に示すように、カバー把持具７１の上面板７２の位置決め凹部７５に、側板部１２側を側面板７３側に配置させてカバー１０の天板部１１を嵌合させ、カバー把持具７１に対してカバー１０を位置決めさせる。このようにすると、カバー把持具７１の吸着部材８０の吸盤部８４にカバー１０の天板部１１が押し付けられ、吸盤部８４内の空気が押し出される。これにより、カバー１０の天板部１１が吸盤部８４に吸着された状態となり、カバー把持具７１にカバー１０が保持された状態となる。
【００５９】
カバー把持具７１に保持させたカバー１０をコネクタ２０に装着するには、カバー把持具７１の側面板７３をつまんで把持し、図２２及び図２３に示すように、コネクタ支持台５１に支持されているコネクタ２０に対して、その上方側から近接させる。このとき、カバー把持具７１の位置決め部７２ａ，７３ａをコネクタ支持台５１の位置決め面５３ａに当接させ、コネクタ支持台５１に支持させたコネクタ２０に対してカバー把持具７１に保持させたカバー１０を位置決めさせる。
【００６０】
この状態で、カバー把持具７１をコネクタ２０側へ押し込む。すると、カバー把持具７１に保持されているカバー１０の係止孔１３にコネクタ２０のハウジング２１の係止突起２８が嵌合し、これらの係止突起２８と係止孔１３との係止力によってコネクタ２０のハウジング２１にカバー１０が装着される。このとき、カバー把持具７１の側面板７３に形成された滑り止め部７８に作業者の指が引っかかるため、作業者はカバー把持具７１を安定して把持することができる。
【００６１】
カバー１０をコネクタ２０に装着させたら、カバー把持具７１を引き上げてカバー１０から外す。ここで、吸盤部８４の天板部１１への吸着力は係止突起２８と係止孔１３との係止力よりも弱くされている。これにより、カバー把持具７１は、引き上げることで、カバー１０から引き離される。その後、カバー１０が装着されたコネクタ２０を、コネクタ支持台５１から取り外す。
【００６２】
このように、この変形例に係るカバー把持具７１によれば、カバー１０の天板部１１を吸着部材８０の吸盤部８４に吸着させることで、カバー１０をカバー把持具７１に容易に保持させることができ、コネクタ２０へのカバー１０の装着作業性をさらに高めることができる。
【００６３】
次に、機器側コネクタ４０に結合されたコネクタ２０を機器側コネクタ４０から取り外す際に用いる係合解除治具について説明する。
【００６４】
図２４は、コネクタが接続された機器側コネクタを備えるソレノイドの斜視図である。図２５は、機器側コネクタに接続されたコネクタの断面図である。図２６は、機器側コネクタからコネクタを取り外す際に用いられる係合解除治具の斜視図である。図２７は、係合解除治具を用いた機器側コネクタからのコネクタの取り外し作業を説明する係合解除治具の斜視図である。図２８は、係合解除治具を用いた機器側コネクタからのコネクタの取り外し作業を説明する図であって、図２８（ａ）から図２８（ｃ）は、それぞれ機器側コネクタに接続されたコネクタの断面図である。図２９は、棒状の工具を用いた機器側コネクタからのコネクタの取り外し作業を説明する機器側コネクタに接続されたコネクタの断面図である。
【００６５】
図２４及び図２５に示すように、上記実施形態に係るカバー装着用治具５０でカバー１０が装着されるコネクタ２０は、例えば、ソレノイド４４に設けられた機器側コネクタ４０に接続される。この機器側コネクタ４０にコネクタ２０を接続すると、コネクタ２０のハウジング２１に設けられた上面突起２７が、機器側コネクタ４０のハウジング４５に形成された通路４６を通り、ハウジング４５に設けられた爪状の係止部４１に係合することにより結合される。
【００６６】
図２６に示すように、係合解除治具９０は、ハンドル部９１と、金具部９２とを有している。ハンドル部９１は、作業者が把持し易い丸棒状に形成されており、このハンドル部９１の先端に金具部９２が配置されている。金具部９２は、金属板から形成されたもので、棒状に延在する固定部９３と、二股に分かれた当接板部９４と、これらの当接板部９４同士の間に設けられたロック解除突起９５とを有している。固定部９３は、ハンドル部９１内に延在されており、ハンドル部９１と一体化されている。ロック解除突起９５は、一方側へ約９０°屈曲されている。
【００６７】
コネクタ２０を機器側コネクタ４０から取り外すには、まず、係合解除治具９０のハンドル部９１を把持し、図２７に示すように、当接板部９４を機器側コネクタ４０とカバー１０との間で露出しているコネクタ２０の両側に配置させ、ロック解除突起９５をハウジング４５の通路４６に挿し込む。
【００６８】
次に、図２８（ａ）に示すように、ハンドル部９１をロック解除突起９５の突出方向と反対方向（図２８（ａ）中矢印Ａ方向）へ倒す。このようにすると、図２８（ｂ）に示すように、当接板部９４がカバー１０及びハウジング４５にそれぞれ当接し、これらの当接箇所が支点Ｓ１，Ｓ２となり、ロック解除突起９５の先端がコネクタ２０から離間する方向へ変位する。
【００６９】
すると、図２８（ｃ）に示すように、ロック解除突起９５によって係止部４１が持ち上げられて係止部４１と上面突起２７との係合が解除される。また、このとき、カバー１０に当接している当接板部９４によってカバー１０がハウジング４５から離間する方向（図２８（ｃ）中矢印Ｂ方向）へ押圧されて変位する。これにより、コネクタ２０がハウジング４５から離脱される。
【００７０】
ここで、係合解除治具９０を使わずにコネクタ２０を機器側コネクタ４０のハウジング４５から取り外すには、図２９に示すように、ハウジング４５の通路４６へ挿し込んだ棒状の工具Ｋの後端側をコネクタ２０から離間する方向（図２９中矢印Ｃ方向）へ引き上げることで、係止部４１を持ち上げる。そして、この状態を維持しながらコネクタ２０をハウジング４５から離間する方向（図２９中矢印Ｄ方向）へ引っ張り、ハウジング４５から離脱させる。
【００７１】
このように、単なる棒状の工具Ｋでは、工具Ｋによる係止部４１の持ち上げ動作及び持ち上げ作業中におけるコネクタ２０の引き抜き動作を行わなければならない。このため、コネクタ２０の取り外し作業の作業性が悪く、特に狭隘な作業空間ではコネクタ２０の取り外しが困難となることがある。
【００７２】
これに対して、係合解除治具９０を用いれば、ロック解除突起９５をハウジング４５の通路４６に挿し込んでハンドル部９１を所定方向へ倒すことで、当接板部９４の表裏のカバー１０及びハウジング４５との当接箇所を支点Ｓ１，Ｓ２としたテコの原理によって、係止部４１と上面突起２７との係合の解除及びハウジング４５からのコネクタ２０の離脱を同時にかつ軽い力で容易に行うことができる。したがって、狭隘な作業空間であってもコネクタ２０をソレノイド４４の機器側コネクタ４０から容易に取り外すことができる。
【００７３】
なお、上記の例では、当接板部９４のカバー１０との当接箇所を支点Ｓ１としたが、コネクタ２０に当接板部９４が当接して支点Ｓ１となる部分を予め形成しておくことで、カバー１０がない状態でも係合解除治具９０を用いてコネクタ２０を機器側コネクタ４０のハウジング４５から容易に取り外すことができる。
【００７４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７５】
ここで、上述した本発明に係るカバー装着用治具及びカバー装着方法の実施形態の特徴をそれぞれ以下［１］〜［６］に簡潔に纏めて列記する。
［１］  相手側コネクタ（機器側コネクタ４０）と接続される接続端（２９）の反対側が電線（２２）の引出端（２３）とされたコネクタ（２０）に対して、前記引出端から引き出された前記電線を保護するカバー（１０）を前記引出端に押し付けて装着する際に用いるカバー装着用治具（５０）であって、
前記コネクタの前記接続端を嵌合させることで前記コネクタを支持するコネクタ固定穴（５２）を有するコネクタ支持台（５１）と、
前記カバーの両側面を覆って前記カバーを保持するカバー把持具（６１，７１）と、
を備え、
前記コネクタ支持台は、前記コネクタ固定穴に嵌合された前記コネクタに沿う位置決め面（５３ａ）を有し、
前記カバー把持具は、前記位置決め面に当接することで前記コネクタ固定穴に嵌合された前記コネクタに対して保持した前記カバーが位置決めされる位置決め部（６２ａ，６３ａ，７２ａ，７３ａ）を有する
ことを特徴とするカバー装着用治具。
［２］  前記カバーは、天板部（１１）と、該天板部の両側縁から同一方向へ延びる側板部（１２）とを有し、
前記カバー把持具は、前記天板部の外側を覆う上面板（６２，７２）と、該上面板から延びて前記カバーの前記側板部の外側を覆う一対の側面板（６３，７３）とを有し、
前記上面板の内面に、前記カバーの前記天板部が嵌合されて位置決めされる位置決め凹部（６５，７５）が形成されている
ことを特徴とする［１］に記載のカバー装着用治具。
［３］  前記カバー把持具は、前記側面板が前記上面板に対してそれぞれ回動可能とされ、前記側面板を前記カバーの前記側板部に当接させることで前記カバーを保持可能とされている
ことを特徴とする［２］に記載のカバー装着用治具。
［４］  前記側面板は、前記カバーの前記側板部の端部を係止する係止部（６７）を有する
ことを特徴とする［３］に記載のカバー装着用治具。
［５］  前記カバー把持具は、前記上面板の内面側に、前記カバーの前記天板部を吸着する吸盤部（８４）を有する吸着部材（８０）が設けられている
ことを特徴とする［２］に記載のカバー装着用治具。
［６］  ワイヤハーネス（Ｗ）に設けられた複数のコネクタに対してカバーを装着するカバー装着方法であって、
前記コネクタをそれぞれ支持する複数のコネクタ支持台及び前記カバーをそれぞれ保持する複数のカバー把持具を、前記ワイヤハーネスの前記コネクタの配置に対応した位置に配置しておき、
前記コネクタを、それぞれ対応した前記コネクタ支持台に支持させ、
前記コネクタに対応した前記カバー把持具で前記カバーを把持して前記コネクタに装着させる
ことを特徴とするカバー装着方法。
【符号の説明】
【００７６】
１０：カバー
１１：天板部
１２：側板部
２０：コネクタ
２２：電線
２３：引出端
２９：接続端
４０：機器側コネクタ（相手側コネクタ）
５０：カバー装着用治具
５１：コネクタ支持台
５２：コネクタ固定穴
５３ａ：位置決め面
６１，７１：カバー把持具
６２，７２：上面板
６３，７３：側面板
６２ａ，６３ａ，７２ａ，７３ａ：位置決め部
６５，７５：位置決め凹部
８０：吸着部材
８４：吸盤部
Ｗ：ワイヤハーネス
【図１】
0006514983.tif 000002
【図２】
0006514983.tif 000003
【図３】
0006514983.tif 000004
【図４】
0006514983.tif 000005
【図５】
0006514983.tif 000006
【図６】
0006514983.tif 000007
【図７】
0006514983.tif 000008
【図８】
0006514983.tif 000009
【図９】
0006514983.tif 000010
【図１０】
0006514983.tif 000011
【図１１】
0006514983.tif 000012
【図１２】
0006514983.tif 000013
【図１３】
0006514983.tif 000014
【図１４】
0006514983.tif 000015
【図１５】
0006514983.tif 000016
【図１６】
0006514983.tif 000017
【図１７】
0006514983.tif 000018
【図１８】
0006514983.tif 000019
【図１９】
0006514983.tif 000020
【図２０】
0006514983.tif 000021
【図２１】
0006514983.tif 000022
【図２２】
0006514983.tif 000023
【図２３】
0006514983.tif 000024
【図２４】
0006514983.tif 000025
【図２５】
0006514983.tif 000026
【図２６】
0006514983.tif 000027
【図２７】
0006514983.tif 000028
【図２８】
0006514983.tif 000029
【図２９】
0006514983.tif 000030